(57)【要約】【課題】ＡＣ電源と電源の減電状態とが検出できると共に小型化や部品点数を削減することができる電源回路、およびその電源回路を使用したテレビジョンを提供する。【解決手段】一次側電圧Ｖａが第１の所定値を超えるとツェナ降伏が生じる第１のツェナダイオードＺＤ１と、一方の端子が一次側電圧Ｖａの出力ラインに接続され且つ他方の端子が接地されると共に第１のツェナダイオードＺＤ１が分割点Ｒ１ｃよりも同出力ライン側に直列に配置される第１の分割抵抗Ｒ１と、第１の分割抵抗Ｒ１の分割点Ｒ１ｃにベースが接続されると共にエミッタが接地されてる第１のトランジスタＴr１とを有して一次側電圧Ｖａを検出する電圧検出回路２０ｂ１と、第１のトランジスタＴr１のオン／オフに基づいて減電状態検出信号ＤＥＴをマイコン１１へ出力する減電信号出力回路２０ｂ２とを有する減電検出回路２０ｂを備える。【選択図】図２
2008219658.tif 000002
【特許請求の範囲】
【請求項１】
ＡＣ電源電圧に基づく一次側電圧をトランスを介して複数種類の所定の電圧に変換して二次側から出力する電源回路を備えるテレビジョンにおいて、
上記電源回路は、
１２０Ｖの商用ＡＣ電源電圧に基づいて一次側電圧を出力する整流回路と、同一次側電圧を複数種類の所定の電圧に変換して上記テレビジョン各部の動作電源電圧を二次側から出力するトランスと、二次側電圧を一次側にフィードバックするフィードバック回路と、同フィードバック回路からのフィードバック信号により上記一次側電圧をＰＷＭ制御するスイッチング回路とを有する電源供給回路と、
上記一次側電圧を検出する電圧検出回路と、減電状態を検出する為の検出信号を出力する減電信号出力回路とを有する減電検出回路とを備え、
上記電圧検出回路は、
上記一次側電圧が第１の所定値を超えるとツェナ降伏が生じるように降伏電圧が１２０Ｖとされている第１のツェナダイオードと、一方の端子が上記一次側電圧の出力ラインに接続され且つ他方の端子が接地されると共に上記第１のツェナダイオードが分割点よりも同出力ライン側に直列に配置される第１の分割抵抗と、同第１の分割抵抗の上記分割点にベースが接続されると共にエミッタが接地されて上記一次側電圧が第１の所定値を超えているときにはオンさせられる一方で上記一次側電圧が第１の所定値以下であるときにはオフさせられる第１のトランジスタとを有し、
上記第１の分割抵抗は、
上記一次側電圧の出力ラインに接続される一方の抵抗と接地される他方の抵抗とからなり、上記第１のツェナダイオードのアノード側が上記分割点に接続され且つカソード側が上記一方の抵抗に接続されるように上記第１のツェナダイオードが直列に配置されるものであり、
上記減電信号出力回路は、
第３の抵抗を介してアノード側が上記一次側電圧の出力ラインに接続されると共にカソード側が上記第１のトランジスタのコレクタに接続される第１の発光ダイオードと第１のフォトトランジスタとで構成される第１のフォトカプラと、ベースが上記第１のフォトトランジスタを介して接地されると共に減電状態を検出する為の減電状態検出信号の信号電圧源にエミッタが接続される第２のトランジスタとを有し、
上記一次側電圧が第１の所定値を超えているときには、上記第１のトランジスタのオンに伴い上記第２のトランジスタがオンさせられて減電状態検出信号としてハイ信号を出力する一方で、上記一次側電圧が第１の所定値以下であるときには、上記第１のトランジスタのオフに伴い上記第２のトランジスタがオフさせられて減電状態検出信号としてロー信号を出力することを特徴とするテレビジョン。
【請求項２】
ＡＣ電源電圧に基づく一次側電圧をトランスを介して複数種類の所定の電圧に変換して二次側から出力する電源回路において、
上記一次側電圧が第１の所定値を超えるとツェナ降伏が生じる第１のツェナダイオードと、
一方の端子が上記一次側電圧の出力ラインに接続され且つ他方の端子が接地されると共に、上記第１のツェナダイオードが分割点よりも同出力ライン側に直列に配置される第１の分割抵抗と、
上記第１の分割抵抗の分割点にベースが接続されると共にエミッタが接地されて、上記一次側電圧が第１の所定値を超えているときにはオンさせられる一方で、同一次側電圧が第１の所定値以下であるときにはオフさせられる第１のトランジスタと、
上記第１のトランジスタのコレクタに接続されて、同第１のトランジスタのオン／オフに基づいて減電状態を検出する為の検出信号を出力する減電信号出力回路と
を有する減電検出回路を備えることを特徴とする電源回路。
【請求項３】
上記減電信号出力回路は、
上記第１のトランジスタがオンすることで通電させられるように同第１のトランジスタのコレクタに接続される第１の発光ダイオードと、同第１の発光ダイオードの通電時にオンさせられることで第２のトランジスタをオンするように同第２のトランジスタが接続される第１のフォトトランジスタとで構成される第１のフォトカプラを有し、
上記一次側電圧が第１の所定値を超えているときには上記第２のトランジスタがオンさせられてハイ信号を出力する一方で、同一次側電圧が第１の所定値以下であるときには同第２のトランジスタがオフさせられてロー信号を出力することを特徴とする請求項２に記載の電源回路。
【請求項４】
上記一次側電圧が第２の所定値を超えるとツェナ降伏が生じる第２のツェナダイオードと、
一方の端子が上記一次側電圧の出力ラインに接続され且つ他方の端子が接地されると共に、分割点に上記第２のツェナダイオードのカソード側が接続される第２の分割抵抗と、
上記第２のツェナダイオードのアノード側にベースが接続されると共にエミッタが接地されて、上記一次側電圧が第２の所定値を超えているときにはオンさせられる一方で、同一次側電圧が第２の所定値以下であるときにはオフさせられる第３のトランジスタと、
上記第３のトランジスタのコレクタに接続され、同第３のトランジスタのオン／オフに基づいて過電状態を検出する為の検出信号を出力する過電信号出力回路と
を有する過電検出回路を更に備えることを特徴とする請求項２または３に記載の電源回路。
【請求項５】
上記過電信号出力回路は、
上記第３のトランジスタがオンすることで通電させられるように同第３のトランジスタのコレクタに接続される第２の発光ダイオードと、同第２の発光ダイオードの通電時にオンさせられることで第４のトランジスタをオンするように同第４のトランジスタが接続される第２のフォトトランジスタとで構成される第２のフォトカプラを有し、
上記一次側電圧が第２の所定値を超えているときには上記第４のトランジスタがオンさせられてハイ信号を出力する一方で、同一次側電圧が第２の所定値以下であるときには同第４のトランジスタがオフさせられてロー信号を出力することを特徴とする請求項４に記載の電源回路。
【発明の詳細な説明】
【技術分野】
【０００１】
本発明は、テレビジョン、および電源回路に係り、特に、ＡＣ電源の減電状態を検出可能な電源回路、その電源回路を使用したテレビジョンに関する。
【背景技術】
【０００２】
例えばテレビジョン装置には、ＡＣ電源電圧に基づく一次側電圧をトランスを介して複数種類の所定の電圧に変換して二次側で出力することによりテレビジョン装置の各部に動作電源を供給する電源回路が備えられている。
【０００３】
図４は、その電源回路の一例を示す概略構成図である。図４において、電源回路１は部分共振電源回路であり、外部の例えば商用ＡＣ電源を整流ブリッジ２ａにて全波整流しコンデンサ２ｂにて平滑化して一次側電圧を出力する整流回路２と、一次コイル３ａに入力された一次側電圧をそれぞれ所定の巻数比となった各二次コイル３ｂ、３ｃ、３ｄにて複数種類の所定の電圧に変換してテレビジョン装置各部の動作電源電圧Ｖｂ、Ｖｃ、Ｖｄを二次側から出力するトランス３と、二次側電圧を一次側にフィードバックするフィードバック回路４と、フィードバック回路４からのフィードバック信号により一次側電圧をＰＷＭ制御するスイッチング回路５とからなる。
【０００４】
フィードバック回路４は、例えば二次コイル３ｂの出力電圧Ｖｂの出力ラインＬｖｂに接続され、二次コイル３ｂの出力電圧Ｖｂが所定電圧を超えると、トランジスタ４ａがオンさせられてフォトカプラ４ｂを介してスイッチング回路５にフィードバック信号を出力する。スイッチング回路５は、発振回路を備え、フィードバック回路４からのフィードバック信号が入力されると、ＰＷＭ制御によるフィードバック制御を行い、二次コイル３ｂの出力電圧Ｖｂが適正電圧となるように適宜調整し、一次コイル３ａに駆動電圧を出力する。
【０００５】
ここで、電圧の異常から回路を保護する為に上述したような電源回路１に減電検出回路などを備えることが良く知られている。例えば、特許文献１には、図４に示すような減電検出回路１ｂを電源回路に備えることが記載されている。
【０００６】
減電検出回路１ｂは、一方の端子が二次コイル３ｂの出力電圧Ｖｂの出力ラインＬｖｂに接続されると共に他方の端子が接地された分割抵抗６ａ、６ｂと、この分割抵抗６ａ、６ｂの分割点にカソード側が接続されるダイオード７と、このダイオード７のアノード側に減電検出端子８ａが接続されたマイコン８とから構成されている。
【０００７】
このように構成された減電検出回路１ｂにおいて、出力電圧Ｖｂは、分割抵抗６ａ、６ｂにより分圧されて分割点６ｃの電圧に低下された後、ダイオード７のカソード側に入力される。ダイオード７は、分割点６ｃの電圧をマイコン８の減電検出端子８ａに伝える。例えば、電源供給回路１ａが正常に動作しているときは、分割点６ｃにおける電圧は３．３Ｖとなるように予め設定されており、減電検出端子８ａにも３．３Ｖが印加されている。一方で、電源供給回路１ａの動作が異常になり出力電圧Ｖｂが低下すると、分割点６ｃの電圧も低下し、減電検出端子８ａに印加される電圧も低下する。
【０００８】
以下に、マイコン８が出力電圧Ｖｂの減電状態を検出したときの処理を図５のフローチャートを参照しつつ説明する。この処理は、マイコン８が減電検出端子８ａを介して出力電圧Ｖｂの出力ラインＬｖｂを監視しつつ、減電検出端子８ａに入力される電圧が１．０Ｖを切るとそれを検知して電源供給回路１ａの異常による減電状態であるか否かの判定を行なう処理であり、電源がオンの間、繰り返し実行される。
【０００９】
図５において、処理が開始されると、ステップＳ１にて、カウンタｋが０にセットされる。次いで、ステップＳ２にて、減電検出端子８ａに印加される電圧が取得される。そして、ステップＳ３にて、ステップＳ２にて取得された電圧が１．０Ｖ以下であるか否かが判断される。電圧が１．０Ｖを切っておらずステップＳ３の判断が否定される場合は本ルーチンが終了させられる。
【００１０】
一方で、電圧が１．０Ｖ以下となってステップＳ３の判断が肯定される場合はステップＳ４にて、カウンタｋがインクリメントされる。次いで、ステップＳ５にて、カウンタｋが４以上であるか否かが判断される。カウンタｋが４未満でありステップＳ５の判断が否定される場合はステップＳ６にて、５０ms経過したか否かが判断される。すなわち、このステップＳ６では、電圧が１．０Ｖ以下となってステップＳ３の判断が肯定されてから５０ms経過したか否かが判断される。このステップＳ６の判断は、当初は否定されるため繰り返し実行される。その後５０ms経過してステップＳ６の判断が肯定されると、ステップＳ２に戻りそれ以下の処理が繰り返される。
【００１１】
一方で、カウンタｋが４以上となりステップＳ５の判断が肯定される場合は、すなわち最初に電圧が１．０Ｖ以下となってステップＳ３の判断が肯定されてから２００ms経過した場合は、ステップＳ７にて、電源供給回路１ａのオン・オフを指令する信号としてオン信号Ｐonに替えてオフ信号Ｐoffが電源供給回路１ａに出力される。このように、減電検出回路１ｂにより出力電圧Ｖｂの減電状態が検出されると、電源供給回路１ａがオフさせられて動作電源電圧Ｖｂ、Ｖｃ、Ｖｄの出力が停止させられる。
【００１２】
また、特許文献２には、ファンモータ駆動制御装置において、商用電源の瞬断または瞬停止を検出する為に商用電源の入力波形のゼロクロスを検出するゼロクロス検出回路と、商用電源の減電状態を検出する減電検出回路とを備えることが記載されている。
【００１３】
また、特許文献３には、映像信号処理装置において、ＡＣ検出手段を備えることが記載されている。また、特許文献４には、ＡＣ電力制御装置において、ＡＣ負荷電源の零電位付近を検出して検出信号を出力するＡＣ検出回路を備えることが記載されている。
【特許文献１】実用新案登録第３１２３１０６号公報
【特許文献２】特開２００３−５００４２号公報
【特許文献３】特開平７−２９８２６２号公報
【特許文献４】特開２００４−１６４４３２号公報
【発明の開示】
【発明が解決しようとする課題】
【００１４】
ところで、テレビジョン装置などの装置は、コストダウンや省スペースの要求には限りがなく、当然、搭載される電源回路を含む回路においても一層の小型化や部品点数の削減が望まれる。しかしながら、上述したように、電圧の異常から回路を保護する為に電源回路には減電検出回路やＡＣ検出回路などの異常検出回路を備える必要があり、回路の小型化や部品点数の削減を阻む要因となる可能性があった。
【００１５】
本発明は上記課題に鑑みて為されたもので、その目的とするところは、ＡＣ電源と電源の減電状態とが検出できると共に小型化や部品点数を削減することができる電源回路、およびその電源回路を使用したテレビジョンを提供することにある。
【課題を解決するための手段】
【００１６】
上記目的を達成するための請求項１に記載の発明は、ＡＣ電源電圧に基づく一次側電圧をトランスを介して複数種類の所定の電圧に変換して二次側から出力する電源回路を備えるテレビジョンにおいて、上記電源回路は、１２０Ｖの商用ＡＣ電源に基づいて一次側電圧を出力する整流回路と、同一次側電圧を複数種類の所定の電圧に変換して上記テレビジョン各部の動作電源電圧を二次側から出力するトランスと、二次側電圧を一次側にフィードバックするフィードバック回路と、同フィードバック回路からのフィードバック信号により上記一次側電圧をＰＷＭ制御するスイッチング回路とを有する電源供給回路と、上記一次側電圧を検出する電圧検出回路と、減電状態を検出する為の検出信号を出力する減電信号出力回路とを有する減電検出回路とを備え、上記電圧検出回路は、上記一次側電圧が第１の所定値を超えるとツェナ降伏が生じるように降伏電圧が１２０Ｖとされている第１のツェナダイオードと、一方の端子が上記一次側電圧の出力ラインに接続され且つ他方の端子が接地されると共に上記第１のツェナダイオードが分割点よりも同出力ライン側に直列に配置される第１の分割抵抗と、同第１の分割抵抗の上記分割点にベースが接続されると共にエミッタが接地されて上記一次側電圧が第１の所定値を超えているときにはオンさせられる一方で上記一次側電圧が第１の所定値以下であるときにはオフさせられる第１のトランジスタとを有し、上記第１の分割抵抗は、上記一次側電圧の出力ラインに接続される一方の抵抗と接地される他方の抵抗とからなり、上記第１のツェナダイオードのアノード側が上記分割点に接続され且つカソード側が上記一方の抵抗に接続されるように上記第１のツェナダイオードが直列に配置されるものであり、上記減電信号出力回路は、第３の抵抗を介してアノード側が上記一次側電圧の出力ラインに接続されると共にカソード側が上記第１のトランジスタのコレクタに接続される第１の発光ダイオードと第１のフォトトランジスタとで構成される第１のフォトカプラと、ベースが上記第１のフォトトランジスタを介して接地されると共に減電状態を検出する為の減電状態検出信号の信号電圧源にエミッタが接続される第２のトランジスタとを有し、上記一次側電圧が第１の所定値を超えているときには、上記第１のトランジスタのオンに伴い上記第２のトランジスタがオンさせられて減電状態検出信号としてハイ信号を出力する一方で、上記一次側電圧が第１の所定値以下であるときには、上記第１のトランジスタのオフに伴い上記第２のトランジスタがオフさせられて減電状態検出信号としてロー信号を出力することを特徴とするテレビジョン。
【００１７】
上記のように構成された本発明の電源回路において、ＡＣ電源電圧に基づく上記一次側電圧が第１の所定値を超えると、上記第１のツェナダイオードにツェナ降伏が生じ、上記第１のトランジスタのベースが接続される上記第１の分割抵抗の分割点には上記一次側電圧の分圧分がかかって同第１のトランジスタがオンさせられる。その第１のトランジスタがオンさせられることにより第１のトランジスタのコレクタに接続される上記第１の発光ダイオードが通電させられて上記第１のフォトトランジスタがオンさせられ、上記減電信号出力回路はその第１のフォトトランジスタのオンに伴い上記第２のトランジスタがオンさせられて減電状態検出信号としてハイ信号を出力することから、上記減電検出回路は第１の所定値を超える程の一次側電圧とするようなＡＣ電源電圧が出力されていることを容易に検出することができる。
【００１８】
一方で、上記一次側電圧が第１の所定値以下であると、上記第１のツェナダイオードにはツェナ降伏が生じず、上記第１のトランジスタのベースが接続される上記第１の分割抵抗の分割点は零電位となって同第１のトランジスタはオフさせられる。その第１のトランジスタがオフさせられることにより上記第１の発光ダイオードが通電させられず上記第１のフォトトランジスタがオフさせられ、上記減電信号出力回路はその第１のフォトトランジスタのオフに伴い上記第２のトランジスタがオフさせられて減電状態検出信号としてロー信号を出力することから、上記減電検出回路は第１の所定値以下となる一次側電圧とするようなＡＣ電源電圧の減電状態を容易に検出することができる。
【００１９】
また、前記目的を達成するための請求項２に記載の発明は、ＡＣ電源電圧に基づく一次側電圧をトランスを介して複数種類の所定の電圧に変換して二次側から出力する電源回路において、上記一次側電圧が第１の所定値を超えるとツェナ降伏が生じる第１のツェナダイオードと、一方の端子が上記一次側電圧の出力ラインに接続され且つ他方の端子が接地されると共に、上記第１のツェナダイオードが分割点よりも同出力ライン側に直列に配置される第１の分割抵抗と、上記第１の分割抵抗の分割点にベースが接続されると共にエミッタが接地されて、上記一次側電圧が第１の所定値を超えているときにはオンさせられる一方で、同一次側電圧が第１の所定値以下であるときにはオフさせられる第１のトランジスタと、上記第１のトランジスタのコレクタに接続されて、同第１のトランジスタのオン／オフに基づいて減電状態を検出する為の検出信号を出力する減電信号出力回路とを有する減電検出回路を備えることにある。
【００２０】
上記のように構成された本発明の電源回路において、ＡＣ電源電圧に基づく上記一次側電圧が第１の所定値を超えると、上記第１のツェナダイオードにツェナ降伏が生じ、上記第１のトランジスタのベースが接続される上記第１の分割抵抗の分割点には上記一次側電圧の分圧分がかかることから、同第１のトランジスタがオンさせられその第１のトランジスタのコレクタに接続される上記減電信号出力回路は第１の所定値を超える程の一次側電圧とするようなＡＣ電源電圧が出力されていることを検出する為の検出信号を出力することが可能になる。よって、減電検出回路は、第１の所定値を超える程の一次側電圧とするようなＡＣ電源電圧が出力されていることを検出することが可能になる。一方で、上記一次側電圧が第１の所定値以下であると、上記第１のツェナダイオードにはツェナ降伏が生じず、上記第１のトランジスタのベースが接続される上記第１の分割抵抗の分割点は零電位となることから、同第１のトランジスタはオンさせられず上記減電信号出力回路は第１の所定値以下となる一次側電圧とするようなＡＣ電源電圧の減電状態を検出する為の検出信号を出力することが可能になる。よって、上記減電検出回路は、第１の所定値以下となる一次側電圧とするようなＡＣ電源電圧の減電状態を検出することが可能になる。
【００２１】
また、請求項３に記載の発明は、請求項２に記載の電源回路において、上記減電信号出力回路は、上記第１のトランジスタがオンすることで通電させられるように同第１のトランジスタのコレクタに接続される第１の発光ダイオードと、同第１の発光ダイオードの通電時にオンさせられることで第２のトランジスタをオンするように同第２のトランジスタが接続される第１のフォトトランジスタとで構成される第１のフォトカプラを有し、上記一次側電圧が第１の所定値を超えているときには上記第２のトランジスタがオンさせられてハイ信号を出力する一方で、同一次側電圧が第１の所定値以下であるときには同第２のトランジスタがオフさせられてロー信号を出力することにある。
【００２２】
要するに、請求項2に記載の電源回路において、上記減電信号出力回路は、上記第１のトランジスタがオンすることで通電させられるように同第１のトランジスタのコレクタに接続される第１の発光ダイオードと、同第１の発光ダイオードの通電時にオンさせられることで第２のトランジスタをオンするように同第２のトランジスタが接続される第１のフォトトランジスタとで構成される第１のフォトカプラを有している。
【００２３】
そして、上記一次側電圧が第１の所定値を超えていると、上記第１のトランジスタがオンさせられることによりその第１のトランジスタのコレクタに接続される上記第１の発光ダイオードが通電させられて上記第１のフォトトランジスタがオンさせられ、上記減電信号出力回路はその第１のフォトトランジスタのオンに伴い上記第２のトランジスタがオンさせられてハイ信号を出力することから、上記減電検出回路は第１の所定値を超える程の一次側電圧とするようなＡＣ電源電圧が出力されていることを容易に検出することができる。一方で、上記一次側電圧が第１の所定値以下となると、上記第１のトランジスタがオフさせられることにより上記第１の発光ダイオードが通電させられず上記第１のフォトトランジスタがオフさせられ、上記減電信号出力回路はその第１のフォトトランジスタのオフに伴い上記第２のトランジスタがオフさせられてロー信号を出力することから、上記減電検出回路は第１の所定値以下となる一次側電圧とするようなＡＣ電源電圧の減電状態を容易に検出することができる。
【００２４】
また、請求項４に記載の発明は、請求項２または３に記載の電源回路において、上記一次側電圧が第２の所定値を超えるとツェナ降伏が生じる第２のツェナダイオードと、一方の端子が上記一次側電圧の出力ラインに接続され且つ他方の端子が接地されると共に、分割点に上記第２のツェナダイオードのカソード側が接続される第２の分割抵抗と、上記第２のツェナダイオードのアノード側にベースが接続されると共にエミッタが接地されて、上記一次側電圧が第２の所定値を超えているときにはオンさせられる一方で、同一次側電圧が第２の所定値以下であるときにはオフさせられる第３のトランジスタと、上記第３のトランジスタのコレクタに接続されて、同第３のトランジスタのオン／オフに基づいて過電状態を検出する為の検出信号を出力する過電信号出力回路とを有する過電検出回路を更に備えることにある。
【００２５】
上記のように構成された請求項２または３に記載の電源回路において、上記一次側電圧が第２の所定値を超えると、上記第２のツェナダイオードにツェナ降伏が生じ、この第２のツェナダイオードを介して上記第２の分割抵抗の分割点に接続される上記第３のトランジスタのベースには上記一次側電圧の分圧分がかかることから、同第３のトランジスタがオンさせられその第３のトランジスタのコレクタに接続される上記過電信号出力回路は第２の所定値を超える程の一次側電圧とするようなＡＣ電源電圧の過電状態を検出する為の検出信号を出力することが可能になる。よって、過電検出回路は、第２の所定値を超える程の一次側電圧とするようなＡＣ電源電圧の過電状態を検出することが可能になる。一方で、上記一次側電圧が第２の所定値以下であると、上記第２のツェナダイオードにはツェナ降伏が生じず、上記第３のトランジスタのベースには上記一次側電圧の分圧分がかからないことから、同第３のトランジスタはオンさせられず上記過電信号出力回路は、第２の所定値以下となる一次側電圧とするようなＡＣ電源電圧が出力されていることを検出する為の検出信号を出力することが可能になる。よって、上記過電検出回路は、第２の所定値以下となる一次側電圧とするようなＡＣ電源電圧が出力されていることを検出することが可能になる。
【００２６】
また、請求項５に記載の発明は、請求項４に記載の電源回路において、上記過電信号出力回路は、上記第３のトランジスタがオンすることで通電させられるように同第３のトランジスタのコレクタに接続される第２の発光ダイオードと、同第２の発光ダイオードの通電時にオンさせられることで第４のトランジスタをオンするように同第４のトランジスタが接続される第２のフォトトランジスタとで構成される第２のフォトカプラを有し、上記一次側電圧が第２の所定値を超えているときには上記第４のトランジスタがオンさせられてハイ信号を出力する一方で、同一次側電圧が第２の所定値以下であるときには同第４のトランジスタがオフさせられてロー信号を出力することにある。
【００２７】
要するに、請求項４に記載の電源回路において、上記過電信号出力回路は、上記第３のトランジスタがオンすることで通電させられるように同第３のトランジスタのコレクタに接続される第２の発光ダイオードと、同第２の発光ダイオードの通電時にオンさせられることで第４のトランジスタをオンするように同第４のトランジスタが接続される第２のフォトトランジスタとで構成される第２のフォトカプラを有している。
【００２８】
そして、上記一次側電圧が第２の所定値を超えていると、上記第３のトランジスタがオンさせられることによりその第３のトランジスタのコレクタに接続される第２の発光ダイオードが通電させられて上記第２のフォトトランジスタがオンさせられ、上記過電信号出力回路はその第２のフォトトランジスタのオンに伴い上記第４のトランジスタがオンさせられてハイ信号を出力することから、上記過電検出回路は第２の所定値を超える程の一次側電圧とするようなＡＣ電源電圧の過電状態を容易に検出することができる。一方で、上記一次側電圧が第２の所定値以下であると、上記第３のトランジスタがオフさせられることにより上記第２の発光ダイオードが通電させられず上記第２のフォトトランジスタがオフさせられ、上記過電信号出力回路はその第２のフォトトランジスタのオフに伴い上記第４のトランジスタがオフさせられてロー信号を出力することから、上記過電検出回路は第２の所定値以下となる一次側電圧とするようなＡＣ電源電圧が出力されていることを容易に検出することが可能になる。
【発明の効果】
【００２９】
以上説明したように、請求項１または２に記載の発明によれば、第１のツェナダイオードを備えることにより１つの減電検出回路で、ＡＣ電源電圧の検出とＡＣ電源電圧の減電状態の検出とが可能になる。これによって、ＡＣ検出回路と減電検出回路とを別個に備える必要が無くなり、電源回路の小型化や部品点数を削減することが可能となる。また、この減電検出回路は一次側に備えられていることから、二次側における複数の二次コイルに対応する電源電圧毎にそれぞれ減電検出回路を備える必要が無く、一層電源回路の小型化や部品点数を削減することが可能となる。
【００３０】
また、請求項３に記載の発明によれば、上記減電信号出力回路が簡単に構成され、ＡＣ電源電圧の検出とＡＣ電源電圧の減電状態の検出とが容易にできる。
【００３１】
また、請求項４に記載の発明によれば、第２のツェナダイオードを備えることにより１つの過電検出回路で、ＡＣ電源電圧の検出とＡＣ電源電圧の過電状態の検出とが可能になる。これによって、ＡＣ検出回路と過電検出回路とを別個に備える必要が無くなり、電源回路の小型化や部品点数を削減することが可能となる。また、この過電検出回路は一次側に備えられていることから、二次側における複数の二次コイルに対応する電源電圧毎にそれぞれ過電検出回路を備える必要が無く、一層電源回路の小型化や部品点数を削減することが可能となる。更に、上記減電検出回路に加えて備えられることで、ＡＣ電源電圧が適正な範囲にあるか否かを容易に検出することができる。
【００３２】
また、請求項５に記載の発明によれば、上記過電信号出力回路が簡単に構成され、ＡＣ電源電圧の検出とＡＣ電源電圧の過電状態の検出とが容易にできる。
【発明を実施するための最良の形態】
【００３３】
以下、下記の項目に従って本発明の実施形態を図面を参照しつつ説明する。
（１）減電検出回路の構成
（２）減電検出回路のまとめ
（３）過電検出回路の構成
（４）過電検出回路のまとめ
【００３４】
（１）減電検出回路の構成
図１は、本発明が適用されるテレビジョンとしての液晶テレビジョン装置１０の構成を説明するブロック図である。図１において、液晶テレビジョン装置１０は、本体の動作を制御するマイコン１１と、アンテナ１２で受信されるテレビジョン放送信号から選択されているチャンネルのテレビジョン放送信号を抽出して出力するチューナ１３と、そのチューナ１３が出力したテレビジョン放送信号に基づく映像を液晶パネル１４に表示させる映像処理部１５と、チューナ１３が出力したテレビジョン放送信号に基づく音声をスピーカ１６から出力する音声処理部１７と、リモコン１８から送信されてきた操作コマンドを受信するリモコン受信部１９と、各部へ動作電源を供給する電源回路２０とを備えている。
【００３５】
マイコン１１は、電源回路２０が備える減電検出回路２０ｂからの減電状態検出信号に基づいて電源回路２０のオン・オフを指令する信号を同じく電源回路２０が備える電源供給回路２０ａへ出力する。また、マイコン１１は、リモコン受信部１９で受信した制御コマンドに基づいてチャンネルの切換え、音量のアップ／ダウン等を制御する。
【００３６】
図２は、電源回路２０の一例を示す概略構成図である。図２において、電源回路２０は、（ａ）外部の例えば１２０Ｖの商用ＡＣ電源に基づいて一次側電圧Ｖａを出力する整流回路２と、一次側電圧Ｖａを複数種類の所定の電圧に変換してテレビジョン装置各部の動作電源電圧Ｖｂ、Ｖｃ、Ｖｄを二次側から出力するトランス３と、二次側電圧Ｖｂを一次側にフィードバックするフィードバック回路４と、フィードバック回路４からのフィードバック信号により一次側電圧ＶａをＰＷＭ制御するスイッチング回路５とを有する電源供給回路２０ａと、（ｂ）一次側電圧Ｖａを検出する電圧検出回路２０ｂ１と、減電状態を検出する為の検出信号を出力する減電信号出力回路２０ｂ２とを有する減電検出回路２０ｂとを備えている。
【００３７】
電源供給回路２０ａは、図４に示した電源供給回路１ａと略同等の構成であるので、ここではその説明を省略する。
【００３８】
電圧検出回路２０ｂ１は、一次側電圧Ｖａが第１の所定値を超えるとツェナ降伏が生じる第１のツェナダイオードＺＤ１と、一方の端子が一次側電圧Ｖａの出力ラインＬｖａに接続され且つ他方の端子が接地されると共に第１のツェナダイオードＺＤ１が分割点Ｒ１ｃよりも同出力ラインＬｖａ側に直列に配置される第１の分割抵抗Ｒ１と、第１の分割抵抗Ｒ１の分割点Ｒ１ｃにベースが接続されると共にエミッタが接地されて、一次側電圧Ｖａが第１の所定値を超えているときにはオンさせられる一方で、一次側電圧Ｖａが第１の所定値以下であるときにはオフさせられる第１のトランジスタＴr１とを有している。
【００３９】
第１の分割抵抗Ｒ１は、一次側電圧Ｖａの出力ラインＬｖａに接続される一方の抵抗Ｒ１ａと接地される他方の抵抗Ｒ１ｂとからなり、第１のツェナダイオードＺＤ１のアノード側が分割点Ｒ１ｃに接続され且つカソード側が一方の抵抗１ａに接続されるように第１のツェナダイオードＺＤ１が直列に配置されている。
【００４０】
減電信号出力回路２０ｂ２は、第３の抵抗Ｒ３を介してアノード側が一次側電圧Ｖａの出力ラインＬｖａに接続されると共にカソード側が第１のトランジスタＴr１のコレクタに接続される第１の発光ダイオードＰＣ１ａと第１のフォトトランジスタＰＣ１ｂとで構成される第１のフォトカプラＰＣ１と、ベースが第１のフォトトランジスタＰＣ１ｂを介して接地されると共に減電状態を検出する為の減電状態検出信号ＤＥＴの信号電圧源２１にエミッタが接続される第２のトランジスタＴr２とを有している。また、この第２のトランジスタＴr２のコレクタはマイコン１１に接続されている。
【００４１】
つまり、減電信号出力回路２０ｂ２は、第１のトランジスタＴr１がオンすることで通電させられるように第１のトランジスタＴr１のコレクタに接続される第１の発光ダイオードＰＣ１ａと、第１の発光ダイオードＰＣ１ａの通電時にオンさせられることで第２のトランジスタＴr２をオンするように第２のトランジスタＴr２が接続される第１のフォトトランジスタＰＣ１ｂとで構成される第１のフォトカプラＰＣ１を有している。そして、減電信号出力回路２０ｂ２は、第１のトランジスタＴr１のオン／オフに基づいて減電状態検出信号ＤＥＴをマイコン１１へ出力する。例えば、第１のトランジスタＴr１のオンに伴い第２のトランジスタＴr２がオンさせられると減電状態検出信号ＤＥＴとしてハイ信号をマイコン１１へ出力する一方で、第１のトランジスタＴr１のオフに伴い第２のトランジスタＴr２がオフさせられると減電状態検出信号ＤＥＴとしてロー信号をマイコン１１へ出力する。
【００４２】
このように構成された減電検出回路２０ｂにおいて、一次側電圧Ｖａが第１の所定値を超えると、第１のツェナダイオードＺＤ１にツェナ降伏が生じ、第１のトランジスタＴr１のベースが接続される第１の分割抵抗Ｒ１の分割点Ｒ１ｃには一次側電圧Ｖａの分圧分がかかって第１のトランジスタＴr１がオンさせられる。その第１のトランジスタＴr１がオンさせられることにより第１のトランジスタＴr１のコレクタに接続される第１の発光ダイオードＰＣ１ａが通電させられて第１のフォトトランジスタＰＣ１ｂがオンさせられ、その第１のフォトトランジスタＰＣ１ｂのオンに伴い第２のトランジスタＴr２がオンさせられて減電状態検出信号ＤＥＴとしてハイ信号をマイコン１１へ出力する。よって、減電検出回路２０ｂは、第１の所定値を超える程の一次側電圧ＶａとするようなＡＣ電源電圧が出力されていることを容易に検出することができる。尚、減電状態検出信号ＤＥＴは、減電状態を検出する為の検出信号であるが、一次側電圧Ｖａが第１の所定値を超えるときにはハイ信号が出力されるので、第１の所定値を超える程の一次側電圧ＶａとするようなＡＣ電源電圧が出力されていることを検出する為の検出信号でもある。
【００４３】
一方で、一次側電圧Ｖａが第１の所定値以下であると、第１のツェナダイオードＺＤ１にはツェナ降伏が生じず、第１のトランジスタＴr１のベースが接続される第１の分割抵抗Ｒ１の分割点Ｒ１ｃは零電位となって第１のトランジスタＴr１がオフさせられる。その第１のトランジスタＴr１がオフさせられることにより第１のトランジスタＴr１のコレクタに接続される第１の発光ダイオードＰＣ１ａが通電させられず第１のフォトトランジスタＰＣ１ｂがオフさせられ、その第１のフォトトランジスタＰＣ１ｂのオフに伴い第２のトランジスタＴr２がオフさせられて減電状態検出信号ＤＥＴとしてロー信号をマイコン１１へ出力する。よって、減電検出回路２０ｂは、第１の所定値以下となる一次側電圧ＶａとするようなＡＣ電源電圧の減電状態を容易に検出することができる。
【００４４】
マイコン１１は、例えば減電状態検出信号ＤＥＴが所定時間連続してロー信号であると判断した場合には、電源供給回路２０ａのオン・オフを指令する信号としてオン信号Ｐonに替えてオフ信号Ｐoffを電源供給回路２０ａに出力し、電源供給回路２０ａをオフして動作電源電圧Ｖｂ、Ｖｃ、Ｖｄの出力を停止させる。
【００４５】
尚、上記第１の所定値は、適正な二次側電圧Ｖｂ、Ｖｃ、Ｖｄが得られる為に必要な電圧として予め実験的に求められて定められた必要電圧値の下限であり、適正な二次側電圧Ｖｂ、Ｖｃ、Ｖｄが得られる為に必要なＡＣ電源電圧の下限値に対応する値である。従って、１２０ＶのＡＣ電源電圧に対して、そのＡＣ電源電圧が８０Ｖ程度を超えないときに減電状態と判断するならば、その時の一次側電圧Ｖａが１１３Ｖ程度（＝８０×√２）を超えないことから、第１のツェナダイオードＺＤ１には降伏電圧が１２０Ｖ程度のものを使用するのが望ましい。
【００４６】
（２）減電検出回路のまとめ
上述のように、本実施例によれば、第１のツェナダイオードＺＤ１を備えることにより１つの減電検出回路２０ｂで、ＡＣ電源電圧の検出とＡＣ電源電圧の減電状態の検出とが可能になる。これによって、ＡＣ検出回路と減電検出回路とを別個に備える必要が無くなり、電源回路２０の小型化や部品点数を削減することが可能となる。
【００４７】
特に、この減電検出回路２０ｂは一次側に備えられていることから、二次側における複数の二次コイルに対応する二次側電圧Ｖｂ、Ｖｃ、Ｖｄ毎にそれぞれ減電検出回路を備える必要が無く、一層電源回路２０の小型化や部品点数を削減することが可能となる。
【００４８】
（３）過電検出回路の構成
次に、本発明の他の実施形態を説明する。尚、以下の説明において実施例相互に共通する部分には同一の符号を付して説明を省略する。また、技術的に両立しない場合を除いて、本明細書で述べる複数の実施例は共通の対象に適用可能である。
【００４９】
図３は、過電検出回路２０ｃの一例を示す概略構成図である。この過電検出回路２０ｃは、減電検出回路２０ｂに加えて電源回路２０に備えられているものであり、減電検出回路２０ｂと並列に整流回路２に接続されている。
【００５０】
図３において、過電検出回路２０ｃは、一次側電圧Ｖａを検出する電圧検出回路２０ｃ１と、過電状態を検出する為の検出信号を出力する過電信号出力回路２０ｃ２とを有している。
【００５１】
電圧検出回路２０ｃ１は、一次側電圧Ｖａが第２の所定値を超えるとツェナ降伏が生じる第２のツェナダイオードＺＤ２と、一方の端子が一次側電圧Ｖａの出力ラインＬｖａに接続され且つ他方の端子が接地されると共に分割点Ｒ２ｃに第２のツェナダイオードＺＤ２のカソード側が接続される第２の分割抵抗Ｒ２と、第２のツェナダイオードＺＤ２のアノード側にベースが接続されると共にエミッタが接地されて、一次側電圧Ｖａが第２の所定値を超えているときにはオンさせられる一方で、一次側電圧Ｖａが第２の所定値以下であるときにはオフさせられる第３のトランジスタＴr３とを有している。
【００５２】
第２の分割抵抗Ｒ２は、一次側電圧Ｖａの出力ラインＬｖａに接続される抵抗Ｒ２ａと接地される抵抗Ｒ２ｂとからなる。
【００５３】
過電信号出力回路２０ｃ２は、第４の抵抗Ｒ４を介してアノード側が一次側電圧Ｖａの出力ラインＬｖａに接続されると共にカソード側が第３のトランジスタＴr３のコレクタに接続される第２の発光ダイオードＰＣ２ａと第２のフォトトランジスタＰＣ２ｂとで構成される第２のフォトカプラＰＣ２と、ベースが第２のフォトトランジスタＰＣ２ｂを介して接地されると共に過電状態を検出する為の過電状態検出信号ＤＥＴ２の信号電圧源２２にエミッタが接続される第４のトランジスタＴr４とを有している。また、この第４のトランジスタＴr４のコレクタはマイコン１１に接続されている。
【００５４】
つまり、過電信号出力回路２０ｃ２は、第３のトランジスタＴr３がオンすることで通電させられるように第３のトランジスタＴr３のコレクタに接続される第２の発光ダイオードＰＣ２ａと、第２の発光ダイオードＰＣ２ａの通電時にオンさせられることで第４のトランジスタＴr４をオンするように第４のトランジスタＴr４が接続される第２のフォトトランジスタＰＣ２ｂとで構成される第２のフォトカプラＰＣ２を有している。そして、過電信号出力回路２０ｃ２は、第３のトランジスタＴr３のオン／オフに基づいて過電状態検出信号ＤＥＴ２をマイコン１１へ出力する。例えば、第３のトランジスタＴr３のオンに伴い第４のトランジスタＴr４がオンさせられると過電状態検出信号ＤＥＴ２としてハイ信号をマイコン１１へ出力する一方で、第３のトランジスタＴr３のオフに伴い第４のトランジスタＴr４がオフさせられると過電状態検出信号ＤＥＴ２としてロー信号をマイコン１１へ出力する。
【００５５】
このように構成された過電検出回路２０ｃにおいて、一次側電圧Ｖａが第２の所定値を超えると、第２のツェナダイオードＺＤ２にツェナ降伏が生じ、この第２のツェナダイオードＺＤ２を介して第２の分割抵抗Ｒ２の分割点Ｒ２ｃに接続される第３のトランジスタＴr３のベースには一次側電圧Ｖａの分圧分がかかって第３のトランジスタＴr３がオンさせられる。その第３のトランジスタＴr３がオンさせられることにより第３のトランジスタＴr３のコレクタに接続される第２の発光ダイオードＰＣ２ａが通電させられて第２のフォトトランジスタＰＣ２ｂがオンさせられ、その第２のフォトトランジスタＰＣ２ｂのオンに伴い第４のトランジスタＴr４がオンさせられて過電状態検出信号ＤＥＴ２としてハイ信号をマイコン１１へ出力する。よって、過電検出回路２０ｃは、第２の所定値を超える程の一次側電圧ＶａとするようなＡＣ電源電圧の過電状態を容易に検出することができる。尚、過電状態検出信号ＤＥＴ２は、過電状態を検出する為の検出信号であるが、一次側電圧Ｖａが第２の所定値を超えるときにはハイ信号が出力されるので、第２の所定値を超える程の一次側電圧Ｖａとするような過電状態となるＡＣ電源電圧が出力されていることを検出する為の検出信号でもある。
【００５６】
一方で、一次側電圧Ｖａが第２の所定値以下であると、第２のツェナダイオードＺＤ２にはツェナ降伏が生じず、第３のトランジスタＴr３のベースには一次側電圧Ｖａの分圧分がかからなくなって第３のトランジスタＴr３がオフさせられる。その第３のトランジスタＴr３がオフさせられることにより第３のトランジスタＴr３のコレクタに接続される第２の発光ダイオードＰＣ２ａが通電させられず第２のフォトトランジスタＰＣ２ｂがオフさせられ、その第２のフォトトランジスタＰＣ２ｂのオフに伴い第４のトランジスタＴr４がオフさせられて過電状態検出信号ＤＥＴ２としてロー信号をマイコン１１へ出力する。よって、過電検出回路２０ｃは、第２の所定値以下となる一次側電圧ＶａとするようなＡＣ電源電圧が出力されていることを容易に検出することができる。
【００５７】
マイコン１１は、例えば過電状態検出信号ＤＥＴ２が所定時間連続してハイ信号であると判断した場合には、電源供給回路２０ａのオン・オフを指令する信号としてオン信号Ｐonに替えてオフ信号Ｐoffを電源供給回路２０ａに出力し、電源供給回路２０ａをオフして動作電源電圧Ｖｂ、Ｖｃ、Ｖｄの出力を停止させる。
【００５８】
尚、上記第２の所定値は、適正な二次側電圧Ｖｂ、Ｖｃ、Ｖｄが得られる為に必要な電圧として予め実験的に求められて定められた必要電圧値の上限であり、適正な二次側電圧Ｖｂ、Ｖｃ、Ｖｄが得られる為に必要なＡＣ電源電圧の上限値に対応する値である。従って、それに見合った降伏電圧の第２のツェナダイオードＺＤ２を使用するのが望ましい。
【００５９】
（４）過電検出回路のまとめ
上述のように、本実施例によれば、第２のツェナダイオードＺＤ２を備えることにより１つの過電検出回路２０ｃで、ＡＣ電源電圧の検出とＡＣ電源電圧の過電状態の検出とが可能になる。これによって、ＡＣ検出回路と過電検出回路とを別個に備える必要が無くなり、電源回路２０の小型化や部品点数を削減することが可能となる。
【００６０】
また、この過電検出回路２０ｃは一次側に備えられていることから、二次側における複数の二次コイルに対応する二次側電圧Ｖｂ、Ｖｃ、Ｖｄ毎にそれぞれ過電検出回路を備える必要が無く、一層電源回路２０の小型化や部品点数を削減することが可能となる。
【００６１】
特に、減電検出回路２０ｂに加えて備えられることで、ＡＣ電源電圧が適正な範囲にあるか否かを容易に検出することができる。
【００６２】
以上、本発明の実施例を図面に基づいて詳細に説明したが、上述したのはあくまでも一実施形態であり、本発明は当業者の知識に基づいて種々の変更、改良を加えた態様で実施することができる。
【図面の簡単な説明】
【００６３】
【図１】本発明が適用される液晶テレビジョン装置の構成を説明するブロック図である。
【図２】減電検出回路を備える電源回路の一例を示す概略構成図である。
【図３】過電検出回路の一例を示す概略構成図である。
【図４】従来の電源回路の一例を示す概略構成図である。
【図５】図４のマイコンの処理を示すフローチャートである。
【符号の説明】
【００６４】
２：整流回路
３：トランス
４：フィードバック回路
５：スイッチング回路
１０：液晶テレビジョン装置（テレビジョン）
２０：電源回路
２０ａ：電源供給回路
２０ｂ：減電検出回路
２０ｂ１：電圧検出回路
２０ｂ２：減電信号出力回路
２１：信号電圧源
Ｌｖａ：一次側電圧の出力ライン
ＰＣ１：第１のフォトカプラ
ＰＣ１ａ：第１の発光ダイオード
ＰＣ１ｂ：第１のフォトトランジスタ
Ｒ１：第１の分割抵抗
Ｒ１ａ：一方の抵抗
Ｒ１ｂ：他方の抵抗
Ｒ１ｃ：分割点
Ｒ３：第３の抵抗
Ｔr１：第１のトランジスタ
Ｔr２：第２のトランジスタ
ＺＤ１：第１のツェナダイオード
【図１】
2008219658.tif 000003
【図２】
2008219658.tif 000004
【図３】
2008219658.tif 000005
【図４】
2008219658.tif 000006
【図５】
2008219658.tif 000007